(57)【特許請求の範囲】
【請求項１】
被切断材に当接するベースと、前記ベースに回転可能に設けられる鋸刃と、前記被切断材に対し前記鋸刃を相対的に進行させて前記被切断材を切断する際に前記被切断材の側面に沿って摺動されることにより前記鋸刃の切断作業をガイドするガイド部とを有する電気丸鋸であって、
前記ガイド部は、第１及び第２のガイド部構成メンバを備え、該両ガイド部構成メンバは係合手段を介して前記鋸刃の進行方向に沿って前後に連結された状態で前記鋸刃と並列して配置されて、該両ガイド部構成メンバの前記鋸刃側の側面が被切断材の側面に接触して摺動される案内面を構成し、該両ガイド部構成メンバ同士は前記係合手段によって解除可能に係合されるとともに、少なくとも一方のガイド部構成メンバが前記鋸刃に対し近接または離間する方向に可動とされ、これによって該両ガイド部構成メンバの案内面が相互に面一となって全体的に前記被切断材の側面に接触して摺動される全体的接触状態と、一方の案内面のみが前記被切断材の側面に接触して摺動される部分的接触状態との間で切替可能、かつ前記係合手段によりいずれの状態にも保持可能な構成としたことを特徴とする電気丸鋸。
【請求項２】
請求項１記載の電気丸鋸であって、前記両ガイド部構成メンバの一方は、他方に対し前記鋸刃の切断方向と直交する方向に相対的に可動とされ、これによって前記ガイド部が、前記全体的接触状態と部分的接触状態との間で切替可能、かついずれの状態にも保持可能な構成としたことを特徴とする電気丸鋸。
【請求項３】
被切断材上に載置されるベースと、前記ベース上に設けられて鋸刃を回転可能に支持する丸鋸本体部と、前記鋸刃を進行させて前記被切断材を切断する際に前記被切断材の側面に沿って摺動されることにより前記鋸刃の進行をガイドするガイド部とを有する携帯用の電気丸鋸であって、
前記ガイド部は、第１及び第２のガイド部構成メンバを備え、該両ガイド部構成メンバは係合手段を介して前記鋸刃の進行方向に沿って前後に連結された状態で前記鋸刃と並列して配置されるよう前記ベースから突出したガイドバーに取付けられ、前記両ガイド部構成メンバの前記ベース側の側面が被切断材の側面に接触して摺動される案内面を構成し、該両ガイド部構成メンバ同士は前記係合手段によって解除可能に係合されるとともに、前記係合手段が解除された場合に、一方のガイド部構成メンバが他方のガイド部構成メンバに対し前記鋸刃の進行方向と直交する方向に相対的に移動し、これによって該両ガイド部構成メンバの案内面が相互に面一となって全体的に前記被切断材の側面に接触して摺動される全体的接触状態と、一方の案内面のみが前記被切断材の側面に接触して摺動される部分的接触状態との間で切替可能、かつ前記係合手段によりいずれの状態にも保持可能な構成としたことを特徴とする電気丸鋸。
【発明の詳細な説明】
【０００１】
【発明の属する技術分野】
この発明は電気丸鋸、特に被切断材の側面を利用して鋸刃による切断作業をガイドするガイド部を有する電気丸鋸の構成技術に関する。
【０００２】
【従来の技術】
電気丸鋸において、鋸刃によって被切断材（特に木材）を切断するに際し、鋸刃と並列的に配置されたガイド部を被切断材の側面に沿って摺動させて鋸刃による切断作業をガイドする技術が知られている。かかるガイド部は一般に平行定規あるいはリップフェンス等と呼ばれている。このように被切断材の側面に沿って摺動するガイド部に関する問題として、鋸刃によって切断された被切断材が、鋸刃による当該被切断材の切断方向と直交する方向へと逃げようとするため、切断された被切断材がガイド部を外方に押圧し、ガイド部のスムーズな摺動が阻害されるという問題があった。この問題に対処するための第１の従来技術として、携帯用電気丸鋸に関する特開平６−３１２４０２号公報では、ガイド部の案内面につき鋸刃の進行方向後方側に逃げ面を形成しておく技術が開示されている。また丸鋸盤に関する実開昭４９−１２６９９３号でも同様の技術が開示されている。しかし、これらの技術では、例えば丸鋸の右側に装着されていたガイド部を左側に付け替えるといったように、丸鋸に対するガイド部の装着面を逆にした場合、実際に被切断材が逃げようとする位置と上記逃げ面の位置とが切断方向について前後逆になってしまうため、ガイド部を左右兼用タイプにすることができないという問題があった。このため第２の従来技術として、特開平８−２２４７０１号公報では、携帯用電気丸鋸において、ガイドベースとこのガイドベースよりも短い案内面構成部材とによってガイド部を構成し、案内面構成部材につき、ガイドベースへの取付け位置を変更可能とする技術が開示されている。また丸鋸盤に関する実開平４−７６４０５号公報でも、ガイドベースよりも短い案内面構成部材を当該ガイドベースに取付ける技術が開示されている。これらの技術によれば、ガイドベースの一部のみに案内面構成部材を位置させることができるので、被切断材の外方への逃げが生じてもガイド部のスムーズな摺動を確保できる上、ガイドベースに対する案内面構成部材の取付け位置を適宜変更することができるので、ガイド部を左右兼用タイプとすることができる。
【０００３】
【発明が解決しようとする課題】
ところで被切断材の材質や板厚等との関係で、切断された被切断材の逃げが生じない場合には、むしろガイド部が全体に渡って被切断材に摺接して安定的なガイドを行うことが望ましい。しかしながら第２の従来技術では、ガイドプレートの全体に渡って案内面が形成されておらず、該全体的接触状態が確保できない。
【０００４】
本発明の課題は、鋸刃の左右いずれ側も一つのガイド部で兼用することができることは勿論、さらに切断作業時に被切断材がガイド部側へと逃げる場合及び被切断材がガイド部側へ逃げない場合のいずれにおいても鋸刃を円滑かつ確実にガイドできる合理的な構造の電気丸鋸を提供することにある。
【０００５】
【課題を解決するための手段】
上記した課題は各請求項記載の発明によって解決される。
本発明の電気丸鋸は、請求項１に記載されるように、第１及び第２のガイド部構成メンバを備え、これら両ガイド部構成メンバが鋸刃の切断方向に沿って前後に連結された状態で鋸刃と並列して配置されるガイド部につき、当該ガイド部の鋸刃側の側面が被切断材の側面に接触して摺動される案内面を構成するとともに、少なくとも一方のガイド部構成メンバは鋸刃に対し近接・離間する方向に可動とされている。一方のガイド部構成メンバの案内面を可動とすることで、ガイド部の案内面は、全体的に被切断材の側面に接触して摺動される全体的接触状態と、一部の案内面のみが被切断材の側面に接触して摺動される部分的接触状態との間で切替可能とされ、かつ係合手段によっていずれかの状態に保持される。なお本発明における電気丸鋸は、携帯用丸鋸および丸鋸盤の双方を含むものとする。
【０００６】
案内面の一部を可動とするには、ガイド部を二つのガイド部構成メンバから構成し、当該両ガイド部構成メンバの一方につき、他方のガイド部構成メンバに対し鋸刃の切断方向と直交する方向に相対的に可動とする構成が好ましい（請求項２に記載の発明に対応）。これによってガイド部が、全体的接触状態と部分的接触状態との間で切替可能とされる。
【０００７】
このような構成とすることにより、被切断材を切断するに際し、切断された被切断材が鋸刃側からガイド部側へと外方に逃げようとする場合、かかる逃げに対応して、一方のガイド部構成メンバの案内面が鋸刃から離間する方向にシフトされる。具体的には、鋸刃による切断前方側の案内面については被切断材の側面に接触して摺動させ、鋸刃による切断後方側の案内面については被切断材の側面よりも外方にシフトした状態とすることが好ましい。これにより、外方に逃げようとした被切断材が鋸刃による切断後方側において案内面を外方に押圧することがなくなり、ガイド部の円滑な摺動動作が確保される。
【０００８】
また、被切断材が外方に逃げない場合（例えば薄板を切断するような場合）、両ガイド部構成メンバの案内面を相互に面一（等位面）とすることが好ましい。換言すれば、ガイド部の案内面が全体的に被切断材の側面に接触して摺動される「全体的接触状態」とすることが好ましい。これにより切断作業時の安定的なガイドが可能となる。
【０００９】
本発明では、両ガイド部構成メンバの少なくとも一方の案内面が鋸刃に近接または離間する方向に可動とされているため、案内面のどの部分を鋸刃側に近接させるか、あるいは離間させるかを適宜選択することにより、鋸刃の右側に装着されるガイド部と左側に装着されるガイド部の双方を兼用することができる。
【００１０】
さらに請求項３に示すように、携帯用の電気丸鋸のガイド部につき、これを二つのガイド部構成メンバによって鋸刃の進行方向を長軸とする長尺状に形成し、鋸刃と並列して配置されるようベースから突出したガイドバーに取付け、さらにガイド部のベース側の側面が被切断材の側面に接触して摺動される案内面を構成することが好ましい。さらに、ガイド部の構成部材同士が係合手段によって解除可能に係合される構成とし、係合手段が解除された場合に、一方の構成部材が他の構成部材に対し鋸刃の進行方向と直交する方向に相対的に移動する構成とすることが好ましい。このような構成とすることにより、両ガイド部構成メンバの案内面が全体的に被切断材の側面に接触して摺動される全体的接触状態と、鋸刃の進行方向側の一部の案内面が被切断材の側面に接触して摺動される部分的接触状態との間で切替可能とされ、かつ係合手段によっていずれかの状態に保持される。
【００１１】
【発明の実施の形態】
以下、本発明の実施の形態である電気丸鋸について、図面を参照しながら詳しく説明する。なお本形態では、携帯用電気丸鋸を一例として説明している。図１および図２に示すように、本実施形態に係る丸鋸１０１は、概括的に、被切断材上に載置されるベース１１０と、ベース１１０上に設けられた丸鋸本体部１２０と、被切断材の側面に沿って摺動されるガイド部１３０とを有する。なお図２では、二点鎖線で示される被切断材Ｗとガイド部１３０の関係が示されている。丸鋸本体部１２０は、鋸刃１２１と、鋸刃１２１を覆蓋するブレードカバー１２２と、鋸刃１２１を回転駆動するためのモータを収容するモータハウジング１２３と、丸鋸１０１を前進させて切断作業を行うためのハンドル１２５とを有する。
【００１２】
ガイド部１３０は、一対のガイドバー１３３，１３３を介してベース１１０に取付けられている。各ガイドバー１３３は、丸鋸１０１の進行方向Ｘ（すなわち鋸刃１２１の進行方向）に対し直角を成すように、ベース１１０上に形成された嵌装孔１１３に挿通されるとともに、押えネジ１１１によってベース１１０に解除自在に固定される。ガイドバー１３３の一端側（図２では右端側）には、取付ネジ１３５を介してガイド部１３０が取付けられている。
【００１３】
ガイド部１３０は、丸鋸１０１の進行方向Ｘ（鋸刃１２１の進行方向）と並列して配置されるとともに、丸鋸１０１の進行方向Ｘにつきベース１１０よりも長く形成され、係合手段１３７を介して係合された第１のガイド部構成メンバ１３１と第２のガイド部構成メンバ１３２とを有している。第１および第２のガイド部構成メンバ１３１，１３２のうち、ベース１１０側の側面（図２ではガイド部１３０の左側の側面）は、被切断材Ｗを切断する際に、被切断材Ｗの側面（図２では被切断材Ｗの右側面）に沿って摺動し切断作業をガイドするための案内面１３１ａ，１３２ａを形成する。ベース１１０とガイド部１３０との間の間隙Ｄは、ガイドバーの押えネジ１１１によるガイドバーの固定位置を調節することで適宜増減することができる。なお第１および第２のガイド部構成メンバ１３１，１３２には取付ねじ１５３を介して障壁部１５１，１５２が取付けられている。障壁部の意義については後述する。
【００１４】
第１および第２のガイド部構成メンバ１３１，１３２は、係合手段１３７における係合を解除することで、丸鋸１０１の進行方向Ｘと直交する方向（図２では左右方向）に相対的に可動とされている。なお各ガイド部構成メンバ１３１，１３２は取付けネジ１３５によってガイドバー１３３に固定されているため、ガイド部構成メンバ１３１，１３２を相対的に動かす場合、係合手段１３７の係合を解除するとともに、ガイドバー押えねじ１１１によるガイドバー１３３の固定を解除し、ガイドバー１３３を図２における左右方向に適宜移動させて行う。図２では、第１のガイド部構成メンバ１３１の案内面１３１ａに対し、第２のガイド部構成メンバ１３２の案内面１３２ａがベース１１０から離間する方向にシフトした状態とされている。すなわちガイド部１３０につき、丸鋸１０１の進行方向Ｘ前方側の案内面１３１ａは被切断材Ｗの(右)側面に摺接しているのに対し、進行方向Ｘ後方側の案内面１３２ａは、ベース１１０から離間する方向にシフトしており、被切断材Ｗとの間に間隙Ｃが形成されている。
【００１５】
ガイド部１３０を構成する第１のガイド部構成メンバ１３１と第２のガイド部構成メンバ１３２の詳細な構造が図３（Ａ）〜図３（Ｃ）に示される。図３（Ａ）は、第１のガイド部構成メンバ１３１に対し、第２のガイド部構成メンバ１３２が図中右方向に相対的にシフトした状態を示し、図３(Ｂ)では、第１のガイド部構成メンバ１３１と第２のガイド部構成メンバ１３２が等位置に置かれ、案内面１３１ａと案内面１３２ａとが面一状態にされた状態を示す。なお、図３（Ａ）（Ｂ）において、丸鋸の進行方向は符号Ｘで示される。図３（Ｃ）では、ガイド部１３０を側面視した状態が示され、係合凸部１４１が係合凹部１４２に嵌合して、第１のガイド部構成メンバ１３１と第２のガイド部構成メンバ１３２とが連結された状態が示される。第１のガイド部構成メンバ１３１および第２のガイド部構成メンバの内部には、軽量化・剛性確保のため多数の空洞Ｈが形成されている。
【００１６】
ガイド部１３０において第１および第２のガイド部構成メンバ１３１，１３２を解除可能に係合する係合手段１３７の詳細が図４（Ａ）（Ｂ）および図５（Ａ）（Ｂ）に示される。図４(Ａ) に示すように、係合手段１３７は、係合ノブ１３８と係合爪部１３９を有する。係合ノブ１３８は、バネ１３８ｂによって係合爪部１３９方向（図中左方向）に付勢され、これにより爪１３８ａ，１３９ａが噛み合って第１および第２のガイド部構成メンバ１３１，１３２が相互に係合された状態とされる。
【００１７】
第１および第２のガイド部構成メンバ１３１，１３２の係合を解除する場合、バネ１３８ｂの付勢力に向しつつ、係合ノブ１３８を係合爪部１３９から離間する方向（係合ノブ１３８に刻印された図中右方向の矢印で示される）に指で移動させ、爪１３８ａ，１３９ａとの噛み合いを解除する。これと同時に、一方のガイド部構成メンバを他方のガイド部構成メンバに対し相対的にシフトさせる。本実施の形態では、第２のガイド部構成メンバ１３２を第１のガイド部構成メンバ１３１に対しシフトさせた状態が図４（Ｂ）に示される。図４(Ｂ)では、第２のガイド部構成メンバ１３２がシフトした後、バネ１３８ｂの付勢力によって係合ノブ１３８が再び係合爪部１３９方向へ移動し、爪１３８ａ，１３９ａが噛み合った状態が示されている。
【００１８】
図５(Ａ) (Ｂ)は、ガイド部１３０における第１・第２のガイド部構成メンバ１３１，１３２の詳細な縦断面構造を示す。係合ノブ１３８は、抜止部材１３８ｃおよびネジ１３８ｄを介して第２のガイド部構成メンバ１３２の先端に取付けられ、係合爪部１３９は、ネジ１３９ｂを介して第１のガイド部構成メンバ１３１の先端に取付けられる。図５（Ａ）は、バネ１３８ｂの付勢力により、係合ノブ１３８と係合爪部１３９とが係合した状態を示し、図５(Ｂ)は、係合ノブ１３８を係合爪部１３９から離間する方向（図中右方向）に移動させて係合解除した状態を示す。
【００１９】
図６（Ａ）（Ｂ）はガイド部１３０の底面構造を示し、図６（Ｃ）はガイド部１３０における各案内面１３１ａ，１３２ａの構造を示す。図６（Ａ）（Ｂ）に示すように、第１および第２のガイド部構成メンバ１３１，１３２は、抜け止めネジ１４３およびスライド溝１４５を介して、相対的に可動とされつつ抜け止めされている。
【００２０】
さて丸鋸１０１を用いて被切断材の切断作業を行うに際しては、切断された被切断材が外方に逃げることで生じるガイド部の摺動阻害に対処する必要がある。この場合、上記のように構成された丸鋸１０１においては、第１および第２のガイド部構成メンバ１３１，１３２を鋸刃と直交する方向に相対的にシフトさせることによって対処することができる。すなわち図２に示すように、丸鋸１０１と直交する方向（鋸刃と直交する方向）につき、第２のガイド部構成メンバ１３２を第１のガイド部構成メンバ１３１よりも外方にシフトさせる。これにより丸鋸１０１を進行方向Ｘに進めて切断作業を行った場合、切断された被切断材が、進行方向Ｘの後方側において外方（ベース１１０からガイド部１３０へと向かう方向）へ逃げようとしても、ガイド部１３０の後方側案内面を構成する第２のガイド部構成メンバ１３２と被切断材Ｗとの間に間隙Ｃが形成されているため、外方へ逃げようとする被切断材によって案内面１３２ａが強く押圧されることがない。従って、切断作業時に被切断材が外方へ逃げようとした場合であってもガイド部１３０のスムーズな摺動が確保できる。
【００２１】
また切断作業時に被切断材が外方に逃げない場合には、ガイド部１３０を図３(Ｂ)に示す状態、すなわち第１および第２の案内面１３１ａ，１３２ａが面一となる状態としておく。これにより面一となった案内面１３１ａ，１３２ａが一体的に被切断材の側面に摺接することになり、安定的な切断作業のガイドが可能となる。
【００２２】
なお切断作業時に、被切断材の切断位置との関係で、ベースに対するガイド部の装着面を左右切り替える場合がある。例えば図２に示すように、ベース１１０の右側に装着されていたガイド部１３０を、図７に示すように、ベース１１０の左側に装着し、被切断材Ｗの左側側面に摺接させるような場合である。装着面の切り替えは、押さえネジ１１１の押えを解除しつつ、嵌装部１１３に対するガイドバー１３３の挿通方向を切り替えて行う。この場合には、丸鋸１０１の進行方向Ｘに関し、第１のガイド部構成メンバ１３１と第２のガイド部構成メンバ１３２との前後関係が入れ替わることになる。従って図７に示す状態では、進行方向Ｘの後方側に位置する第１のガイド部構成メンバ１３１をベース１１０から離間する方向（図７では左方向）にシフトさせることにより、ガイド部１３０の摺動阻害対策が図られることになる。このように、本実施の形態たる丸鋸１０１では、ガイド部１３０をベース１１０の左右いずれの面に装着させた場合であっても効果的にガイド部１３０の摺動阻害対策ができ、左右兼用のガイド部１３０を構成することができ合理的である。なお本実施の形態では、ガイドバー１３３を介してガイド部１３０をベース１１０に取付ける構成であったが、ガイド部１３０を丸鋸本体１２０に取付ける構成とすることも可能である。
【００２３】
次に図２に示された障壁部１５１,1５２の詳細について説明する。図２における障壁部１５１，１５２は、取付けネジ１５３を介し、第１および第２のガイド部構成メンバ１３１，１３２の各上面において案内面１３１ａ，１３２ａ側に接するように取付けられている。図８および図９に、障壁部１５１，１５２と、ガイド部構成メンバ１３１，１３２と、ガイドバー１３３との関係を示す。図８は、ガイド部構成メンバ１３１，１３２とガイドバー１３３との間に形成される間隙Ｓが障壁部１５１，１５２によって塞がれた構成を示す。一方、図９は間隙Ｓが塞がれない構成を示す。図８と図９の各状態は、取付けネジ１５３による障壁部１５１，１５２の締め付けを緩め、障壁部１５１，１５２の配置位置を変えることで適宜選択できる。取付けネジ１５３の締め付けを緩めるための構造が図１０に示される。
【００２４】
障壁部１５１，１５２と間隙Ｓとの関係を切替え可能としたため、下記のような使用態様が可能である。第１に、切断作業における切断幅が狭い場合、すなわち鋸刃１２１から被切断材の側面（ガイド面）までの距離が短く、ガイド部１３０がベース１１０に近接し干渉してしまうような位置関係で切断作業を行う場合には、ガイド部１３０の上端縁がベース１１０の下側に潜り込めるよう障壁部１５１，１５２を退避させて図９に示す状態とする。一方、例えば薄板などを切断しようとする場合には、切断された薄板が振動等によって上方に反りガイドバー１３３とガイド部１３０との間隙 Sに入り込んでしまう場合がある。また被切断材が薄板の場合には、該薄板の側面に摺接するガイド面の有効面積が少なくなるため、作業時の振動等によって薄板の縁部が上記間隙Sに入り込む場合もある。いずれの場合であっても、薄板が間隙Sに引っ掛かり切断作業の支障となるおそれがある。従って、間隙Sへの薄板縁部の侵入を防止するために、障壁部１５１，１５２が間隙Ｓを塞ぐ構成（図８の構成）としておく。図３(Ａ)は、図８に対応し、第２のガイド部構成メンバ１３２を第１のガイド部構成メンバ１３１に対し外方にシフトするとともに、障壁部１５１，１５２を案内面１３１ａ，１３２ａ側に配置した状態を示す。また図３(Ｂ)は、第２のガイド部構成メンバ１３２を第１のガイド部構成メンバ１３１と等位置に配置し、かつ取付けネジ１５３と溝１５３ａを介して障壁部１５１，１５２を案内面１３１ａ，１３２ａと反対側に退避させた状態を示す。
【００２５】
(他の変更例)
上記した実施の形態では、ガイド部を二つの構成メンバに分けて、各構成メンバに案内面を形成させるとともに、各構成メンバが相対的にシフトできる構成としていた。この点に関し、ガイド部自体は一体状に形成するとともに、ガイド面を二つの面部材（第１及び第２のガイド部構成メンバ）で構成し、各面部材が鋸刃と直交する方向に相対的に可動とされる構成が可能である。これにより、被切断材が外方に逃げようとする場合には、鋸刃の進行方向の後方側に位置する面部材を外側にシフトさせて対処し、被切断材が外方に逃げようとしない場合には、各面部材を等位置（面一）として被切断材側面に全体的に摺接させて安定的なガイドを行わせることができる。
【００２６】
さらに本実施の形態では、携帯用電気丸鋸を例として説明したが、本発明は更に丸鋸盤として構成することも可能である。図１１および図１２に、変更例としての丸鋸盤２０１の構成を示す。丸鋸盤２０１は、基台２１１に設けられたベース２１０と、基台２１１内に配置されたモータ部２２３と、モータ部２２３に接続されて回転するとともに、被切断材を切断するべくベース２１０から部分的に突出した鋸刃２２１と、取付部２３３を介してベース２１０に止着されるガイド部２３０を有する。木材からなる被切断材Ｗは、図１１に示すように、その側面がガイド部２３０に摺接してガイドされながら図中上方に送られる。被切断材Ｗの進行方向は図中符号Ｙで示される。なお上記した携帯用丸鋸の場合には、固定された被切断材に対して鋸刃が進行して切断作業が行われるのに対し、丸鋸盤の場合には、固定された鋸刃に対して被切断材が進行して切断作業が行われる。いずれの場合にも、切断された被切断材がガイド部へと外方に逃げる現象は、鋸刃による切断作業箇所の後方側に生じることになる。ガイド部２３０は、第１のガイド部構成メンバ２３１と第２のガイド部構成メンバ２３２を有する。図１１に示された被切断材Ｗは、図中上方（Ｙ方向）に送られながら鋸刃２２１によって切断される。従って、被切断材Ｗの上方部分、すなわち切断後方側における被切断材Ｗ１がガイド部２３０側へと逃げる場合に対処する必要がある。換言すれば、切断された被切断材Ｗ１が切断後方側において、方向Ｙと直交する方向、すなわち鋸刃２２１からガイド部２３０へと外方に逃げようとする場合に対処する必要がある。このため、図１１に示すように、第２のガイド部構成メンバ２３２は、第１のガイド部構成メンバ２３１に対し、相対的に外方（図中左方向）にシフトされている。これにより、外方に逃げようとする被切断材Ｗ１がガイド部２３０を強く押圧することが回避され、ガイド部２３０と被切断材Ｗとの間の円滑な摺動動作が確保されることになる。なお、第１のガイド部構成メンバ２３１と第２のガイド部構成メンバ２３２を係合するための構成については、上記した携帯用丸鋸における構成と同等であるため、詳細な説明を便宜上省略する。
【００２７】
丸鋸盤２０１において、被切断材Ｗとガイド部２３０との摺動面を左側から右側へ変更した場合が、図１１中二点鎖線で示される。この変更例では、取付部２３３によるガイド部２３０のベース２１０への止着を解除し、ガイド部２３０を図中右方向へ並行にシフトする。そして、取付部２３３を介し、二点鎖線で示される位置に止着する。この場合、第１および第２のガイド部構成メンバ２３１，２３２における各ガイド面２３１ａ，２３２ａの構成面が左右逆になるため、第１のガイド部構成メンバ２３１に対し第２のガイド部構成メンバ２３２を図中右方向にシフトさせる。これによって、被切断材Ｗの右側面を介してガイドが行われつつ、切断された被切断材Ｗ２が外方（図中右方向）に逃げようとした際の円滑な摺動確保が行われることになる。
【００２８】
なお、特許請求の範囲に記載した発明には含まれないが、ガイド部を構成する二つの構成メンバの一方につき、他の構成メンバに対し外方に回動可能な構成とすることによっても同様の作用効果を得ることができる。この場合、被切断材が外方に逃げようとする場合には、鋸刃の進行方向後方に位置する構成メンバを外方に回動させて被切断材を逃がすことで対処する。また、ガイド部を構成する二つの構成メンバーの一方につき、他の構成メンバの長軸まわりに回転可能な構成としておき、鋸刃と直交する方向について、回動前と回動後との案内面の位置が異なるように構成することも可能である。
【００２９】
【発明の効果】
本発明によれば、鋸刃の左右いずれ側も一つのガイド部で兼用することができることは勿論、さらに切断作業時に被切断材がガイド部側へと逃げる場合及び被切断材がガイド部側へ逃げない場合のいずれにおいても鋸刃を円滑かつ確実にガイドできる合理的な構造の電気丸鋸が提供されることになった。
【図面の簡単な説明】
【図１】  本実施例に係る丸鋸の全体構造を示す正面図である。
【図２】  本実施例に係る丸鋸の全体構造を示す平面図である。
【図３】  ガイド部の構造について示す図である。
【図４】  ガイド部における係合手段の構造を示す図である。
【図５】  ガイド部における係合手段の構造を示す断面図である。
【図６】  ガイド部の構造について示す図である。
【図７】  ガイド部を丸鋸の左側に装着した状態を示す平面図である。
【図８】  ガイド部とガイドバーと障壁部の関係を示す図である。
【図９】  同じく、ガイド部とガイドバーと障壁部の関係を示す図である。
【図１０】  障壁部の構造を詳細に示す図である。
【図１１】  変更例に係る丸鋸盤の構造を示す平面図である。
【図１２】  変更例に係る丸鋸盤の構造を示す正面図である。
【符号の説明】
１０１  丸鋸
１１０  ベース
１２０  丸鋸本体部
１２１  鋸刃
１２３  モータハウジング
１２５  ハンドル
１３０  ガイド部
１３１  第１のガイド部構成メンバ
１３１ａ  第１の案内面
１３２  第２のガイド部構成メンバ
１３２ａ  第２の案内面
１３３  ガイドバー
１３７  係合手段
１５１  障壁部
【図１】
0003691349.tif 000002
【図２】
0003691349.tif 000003
【図３】
0003691349.tif 000004
【図４】
0003691349.tif 000005
【図５】
0003691349.tif 000006
【図６】
0003691349.tif 000007
【図７】
0003691349.tif 000008
【図８】
0003691349.tif 000009
【図９】
0003691349.tif 000010
【図１０】
0003691349.tif 000011
【図１１】
0003691349.tif 000012
【図１２】
0003691349.tif 000013